(57)【要約】      （修正有）【課題】光走査装置において、熱変形に起因するハウジングの反りを抑制することによって光ビームを良好に導光する。【解決手段】光ビームを偏向するポリゴンミラー３３を回転駆動するポリゴンモータ３４と、該ポリゴンモータが実装される制御基板３５と、該制御基板が設置される設置領域を有するハウジング３１とを備える光走査装置であって、前記ハウジングにおける前記設置領域の反対側に、前記制御基板の熱変形に起因する前記ハウジングの反りを抑制するダミー基板３９が脱着可能なダミー基板取付領域を有する。【選択図】図３
2011154208.tif 000002
【特許請求の範囲】
【請求項１】
光ビームを偏向するポリゴンミラーを回転駆動するポリゴンモータと、該ポリゴンモータが実装される制御基板と、該制御基板が設置される設置領域を有するハウジングとを備える光走査装置であって、
前記ハウジングにおける前記設置領域の反対側に、前記制御基板の熱変形に起因する前記ハウジングの反りを抑制するダミー基板が脱着可能なダミー基板取付領域を有することを特徴とする光走査装置。
【請求項２】
前記ハウジングが前記制御基板を収容する空間を有する中空体とされ、前記ダミー基板取付領域が前記ハウジングの外側領域に設けられていることを特徴とする請求項１記載の光走査装置。
【請求項３】
前記ダミー基板取付領域に設置されるダミー基板を備えることを特徴とする請求項１または２記載の光走査装置。
【請求項４】
前記ハウジングの線膨張係数がαｈ、前記制御基板の線膨張係数がαｋで、かつ、αｈ≧αｋのとき、前記ダミー基板の線膨張係数αｂは、αｈ≧αｂであることを特徴とする請求項１〜３いずれかに記載の光走査装置。
【請求項５】
前記ハウジングの線膨張係数がαｈ、前記制御基板の線膨張係数がαｋで、かつ、αｈ＜αｋのとき、前記ダミー基板の線膨張係数αｂは、αｈ＜αｂであることを特徴とする請求項１〜３いずれかに記載の光走査装置。
【請求項６】
光ビームを射出すると共に走査する光走査装置と、前記光ビームが照射されることにより静電潜像が形成される感光体と、前記静電潜像を現像することでトナー像を形成する現像装置とを備える画像形成装置であって、
前記光走査装置として、請求項１〜５いずれかに記載の光走査装置を備えることを特徴とする画像形成装置。
【発明の詳細な説明】
【技術分野】
【０００１】
本発明は光走査装置及び画像形成装置に関する。
【背景技術】
【０００２】
従来から、複写機や複合機等の画像形成装置に組み込まれている画像形成ユニットの主要な構成要素である光走査装置は、内部に所定容積の空間を備えたハウジングを有している。そして、このハウジング内には、光ビーム（レーザ光）を発生する光ビーム発生器と、その光ビーム発生器から照射されてくる光ビームを偏向する六角形等からなるポリゴンミラーと、そのポリゴンミラーを回転駆動するポリゴンモータ（ポリゴンスキャナモータ）と、そのポリゴンモータを支持するとともにＩＣ等の電子部品を実装する制御基板と、ポリゴンミラーにより偏向された光ビームを感光体に結像させる結像レンズ（ｆθレンズ）等の光学素子とが設けられている。
【０００３】
ところで、制御基板に取り付けられるポリゴンモータは駆動されることにより発熱する。このようにポリゴンモータが発熱することによって、ハウジングの内部が加熱され、ハウジング内部に配置された各種構成が熱による影響を受ける。このため、従来から、光走査装置においては、熱対策を施している。
【０００４】
特許文献１では、半導体レーザ光源から出射された光ビームを偏向するポリゴンミラーと、そのポリゴンミラーを回転駆動するポリゴンモータと、表面に駆動用ＩＣが実装されたポリゴンモータ駆動用の金属ベースプリント配線板と、ポリゴンミラーにより偏向された光ビームを感光体に結像するｆθレンズ及び長尺レンズと、これらを収納する光学ハウジングとを備え、金属ベースプリント配線板の裏面が、光学ハウジングの底部に載置される光書込ユニットにおいて、光学ハウジングの底部には、金属ベースプリント配線板の裏面を露出させるための切欠き穴を形成し、かつ、その切欠き穴から放熱される熱を案内する案内通路を設けている。これにより、 光学ハウジングの温度上昇を防止するようにしている。
特許文献２では、 ポリゴンスキャナと、そのポリゴンスキャナを中心にして両側に互いに対向配置したｆθレンズとを光学ハウジング内に固定支持し、その光学ハウジングの上部全体をカバーで覆うことにより、ポリゴンスキャナとｆθレンズを設けた部分を略密閉状態に覆うようにし、また、ポリゴンスキャナを駆動するための駆動回路等の発熱を伴うデバイスを、上記密閉空間の外側の領域となる光学ハウジングの側面に配置し、そのデバイスを基板を介して側面にネジ等により固定するようにする。そして、その基板はポリゴンスキャナのモータ部にフラットケーブルを介して電気的に接続するようにする。これにより、デバイスからの熱によりｆθレンズが暖められず、カラー画像に位置ずれに伴う色ムラが発生しないようにしている。
特許文献３では、 ハウジングの外壁、底壁及び内壁と、透過ガラスと上部カバーにより、ハウジングの外周を一周するように閉じた流路を形成している。また、この流路を外周より長くして表面積を大きくするために、外壁、内壁の一部にはそれぞれリブを形成して流路の一部をクランク状に形成している。また、流路内には回転多面鏡及びその駆動部が配置され、他の光学素子は流路の外側に配置される。これにより、回転多面鏡の回転により発生する空気流が流路内に沿って、すなわちハウジングの外周に沿ってエンドレスで循環され、光学箱全体の発熱を低減するようにしている。
特許文献４では、ポリゴンモータの設置位置近傍にハウジングの下側から上側に貫通させて、各感光体に対する光走査ためのハウジング内における各レーザ光の光路領域を除く部分で、かつ、各感光体の光走査平面と略直交する方向であって、ポリゴンモータの設置位置中央を中心とする略対称位置に空気流通用のダクトを複数個設けるようにしている。これにより、ハウジング内の熱源からの熱を放出するようにしている。
特許文献５では、光走査装置ではＦθレンズの光軸を挟んで左右対称にハウジングを形成するようにしている。したがって、ハウジングが画像形成装置の駆動等の温度上昇によって熱変形した場合にも、熱変形モードが光軸を挟んで対称となるため、光軸を挟んで左右対称に配設されているミラーやシリンダーミラーの変形状態が左右で等しくなり、各色の走査位置のずれ量の差を抑制するようにしている。これにより、この光走査装置が取り付けられた画像形成装置では、色ずれを抑制することができる。
【先行技術文献】
【特許文献】
【０００５】
【特許文献１】特開２００１−３３７２９０号公報
【特許文献２】特開２００５−９１４０２号公報
【特許文献３】特開２０００−２６７０３７号公報
【特許文献４】特開２００４−２４６００６号公報
【特許文献５】特開２００３−２７０５７４号公報
【発明の概要】
【発明が解決しようとする課題】
【０００６】
光走査装置では、上述のような様々な熱対策が施されているが、ポリゴンモータが高温となることから、ハウジングやハウジング内に設置された各種構成は、少なからず熱変形する。
そして、通常の電子部品と同様に、光走査装置では、ハウジングと制御基板とは異なる材質のものである。つまり、ハウジングと制御基板との線膨張係数は異なる。
このため、ハウジングと制御基板とが共に加熱された場合におけるハウジングの伸び量と制御基板の伸び量とが異なることとなり、この伸び量の差に起因してハウジングに反りが発生する。
【０００７】
そして、ハウジングに反りが生じると、ハウジング内部に収容されたポリゴンモータ及びポリゴンミラーや光学素子等が傾くこととなり、光ビームを良好に導光することができなくなる。
【０００８】
本発明は、上述する問題点に鑑みてなされたもので、光走査装置において、熱変形に起因するハウジングの反りを抑制することによって光ビームを良好に導光することを目的とする。
【課題を解決するための手段】
【０００９】
本発明は、上記課題を解決するための手段として、以下の構成を採用する。
【００１０】
第１の発明は、光ビームを偏向するポリゴンミラーを回転駆動するポリゴンモータと、該ポリゴンモータが実装される制御基板と、該制御基板が設置される設置領域を有するハウジングとを備える光走査装置であって、前記ハウジングにおける前記設置領域の反対側に、前記制御基板の熱変形に起因する前記ハウジングの反りを抑制するダミー基板が脱着可能なダミー基板取付領域を有するという構成を採用する。
【００１１】
第２の発明は、上記第１の発明において、前記ハウジングが前記制御基板を収容する空間を有する中空体とされ、前記ダミー基板取付領域が前記ハウジングの外側領域に設けられているという構成を採用する。
【００１２】
第３の発明は、上記第１または第２の発明において、前記ダミー基板取付領域に設置されるダミー基板を備えるという構成を採用する。
【００１３】
第４の発明は、上記第１〜第３いずれかの発明において、前記ハウジングの線膨張係数がαｈ、前記制御基板の線膨張係数がαｋで、かつ、αｈ≧αｋのとき、前記ダミー基板の線膨張係数αｂが、αｈ≧αｂであるという構成を採用する。
【００１４】
第５の発明は、上記第１〜第３いずれかの発明において、前記ハウジングの線膨張係数がαｈ、前記制御基板の線膨張係数がαｋで、かつ、αｈ＜αｋのとき、前記ダミー基板の線膨張係数αｂが、αｈ＜αｂであるという構成を採用する。
【００１５】
第６の発明は、光ビームを射出すると共に走査する光走査装置と、前記光ビームが照射されることにより静電潜像が形成される感光体と、前記静電潜像を現像することでトナー像を形成する現像装置とを備える画像形成装置であって、前記光走査装置として、上記第１〜第５いずれかの発明である光走査装置を備えるという構成を採用する。
【発明の効果】
【００１６】
本発明によれば、ハウジングにおける制御基板の反対側に、制御基板の熱変形に起因するハウジングの反りを抑制するダミー基板を脱着可能なダミー基板取付領域が設けられている。そして、ダミー基板取付領域にダミー基板を取り付けることによって、ダミー基板が制御基板の変形によるハウジングの変形を相殺するように変形する。このため、制御基板の変形によるハウジングの変形が、ハウジングを中間にした反対側に設けられているダミー基板の変形により相殺され、ハウジングに反りが生じることを抑制することができる。この結果、ハウジング内部に収容されたポリゴンモータ及びポリゴンミラーや光学素子等が傾くことを抑制し、光ビームを良好に導光することが可能となる。
したがって、本発明によれば、光走査装置において、熱変形に起因するハウジングの反りを抑制することによって光ビームを良好に導光することができる。
【図面の簡単な説明】
【００１７】
【図１】本発明の一実施形態の複写機の概略構成を示す断面図である。
【図２】本発明の一実施形態の複写機が備えるレーザスキャニングユニットのカバーを外した状態の斜視図である。
【図３】図２のＸ−Ｘ線の拡大断面図である。
【図４】熱膨張時の制御基板、ハウジング及びダミー基板に作用する力の説明図である。
【発明を実施するための形態】
【００１８】
以下、図面を参照して、本発明に係る光走査装置及び画像形成装置の一実施形態について説明する。なお、以下の図面において、各部材を認識可能な大きさとするために、各部材の縮尺を適宜変更している。また、以下の説明においては、本発明の画像形成装置の一例として複写機を挙げて説明する。
【００１９】
図１は、本実施形態の複写機Ｐの概略構成を示す断面図である。この図に示すように、本実施形態の複写機Ｐは、原稿の画像を読み取る画像読取部１と、読み取った画像データに基づいて記録紙（記録媒体）に印刷を行う印刷部２とを備えている。
【００２０】
画像読取部１は、原稿の画像に光を照射し、その反射光を受光することによって原稿の画像を画像データとして読み取るものであり、原稿に光を照射する光源装置や原稿からの戻り光を受光して画像データに変換する受光センサ等を備えている。
【００２１】
印刷部２は、ベルトユニット６と、画像形成ユニット７と、給紙カセット８と、給紙トレイ９と、二次転写部１０と、定着部１１と、排紙トレイ１２と、搬送路１３とを備えている。
【００２２】
ベルトユニット６は、画像形成ユニット７において形成されるトナー画像が転写され、この転写されたトナー画像を搬送するものであり、画像形成ユニット７からトナー画像が転写される中間転写ベルト６１と、中間転写ベルト６１を架設すると共に無端回送させる駆動ローラ６２と、従動ローラ６３と及びテンションローラ６４を備えている。
中間転写ベルト６１は、駆動ローラ６２、従動ローラ６３及びテンションローラ６４に張架される構成となっている。
駆動ローラ６２は、モータ等の駆動源を有する駆動部に接続され、中間転写ベルト６１に対しグリップ力を付与しつつ回走させるものである。
従動ローラ６３は、駆動ローラ６２の回転駆動に従動して回転駆動するものである。
テンションローラ６４は、駆動ローラ６２の回転駆動に従動して回転駆動する従動ローラの一種であり、バネ機構を有して中間転写ベルト６１にテンションを与えるものである。
また、ベルトユニット６には、不図示のクリーニング部が併設されており、中間転写ベルト６１に残留したトナー等を除去する構成となっている。
【００２３】
画像形成ユニット７は、イエロー（Ｙ）、マゼンダ（Ｍ）、シアン（Ｃ）、ブラック（ＢＫ）の各色にそれぞれ対応して設けられており、各色のトナー画像を形成するものである。そして、これらの画像形成ユニット７は、中間転写ベルト６１に沿って配列されている。
【００２４】
各画像形成ユニット７は、感光体７１と、帯電器７２と、レーザスキャニングユニット７３（光走査装置）と、現像装置７４と、一次転写ローラ７５と、クリーニング装置７６及び不図示の除電装置等とを有する。
感光体７１は、円柱に形状設定され、その周面に静電潜像及び当該静電潜像に基づくトナー像が形成されるものである。帯電器７２は、感光体７１に対して対向配置され、感光体７１の周面を帯電状態とするものである。レーザスキャニングユニット７３は、印刷形式の画像データに基づいて射出されるレーザ光を帯電状態の感光体７１の周面において走査するものである。現像装置７４は、感光体７１の周面に対してトナーを供給することによって感光体７１の周面上に静電潜像に基づくトナー像を現像するものである。一次転写ローラ７５は、中間転写ベルト６１を挟んで感光体７１と対向配置され、感光体７１に現像されたトナー像を中間転写ベルト６１に一次転写するものである。クリーニング装置７６は、一次転写の後に感光体７１上に残留したトナーを除去するものである。
【００２５】
給紙カセット８は、装置本体に対して引き出し自在であり、記憶紙を収容するものである。給紙トレイ９は、装置本体に対して開閉自在であり、記憶紙を収容するものである。
二次転写部１０は、中間転写ベルト６１上に形成された画像を記憶媒体に二次転写するものであって、中間転写ベルト６１を駆動させる駆動ローラ６２と、中間転写ベルト６１を挟んで該駆動ローラ６２と対向配置される二次転写ローラ１０ａとから構成されている。
定着部１１は、記憶媒体上に二次転写されたトナー像を記録紙に定着させるものであり、加圧及び加熱することによりトナー像を記録紙に定着させる加熱ローラを備える。
搬送路１３は、給紙カセット８から記憶紙を搬出するピックアップローラ１３ａ、記憶媒体を搬送する給紙ローラ１３ｂ、排紙トレイ１２に記憶媒体を排紙する排紙ローラ１３ｃ等を備える。
【００２６】
このような構成を有する本実施形態の複写機Ｐは、上述のように、画像読取部１において画像データを取得し、さらに印刷部２が当該画像データに基づいて記録紙に印刷を行う。
【００２７】
次に、本実施形態の複写機Ｐにおけるレーザスキャニングユニット（ＬＳＵ）７３について、図２及び図３を用いて説明する。なお、各レーザスキャニングユニット７３は、同一構成であるため、以下の説明においては、１つのレーザスキャニングユニット７３のみについて説明する。
【００２８】
レーザスキャニングユニット７３は、ハウジング３１と、光ビーム発生器３２と、ポリゴンミラー３３と、ポリゴンモータ３４と、制御基板３５と、光学素子３６ａ〜３６ｄと、反射ミラー３７と、センサ３８と、ダミー基板３９とを備えている。
【００２９】
ハウジング３１は合成樹脂製で、内部に所定容積の空間を備えた中空体に成形されており、その内部にポリゴンミラー３３、ポリゴンモータ３４、制御基板３５、光学素子３６ａ〜３６ｄ、反射ミラー３７及びセンサ３８等を収容している。
【００３０】
光ビーム発生器３２は、ハウジング３１の一つの側壁に設けられていて、ハウジング３１内に設けられているポリゴンミラー３３に向けて光ビームを照射するものである。
【００３１】
ポリゴンミラー３３は、光ビーム発生器３２から射出された光ビームを偏向するものであり、多角形（図示の例では六角形）を呈している。そして、ポリゴンミラー３３は、その外周が反射ミラーで形成されていて、その中心位置がポリゴンモータ３４の回転軸に貫通して取り付けられている。
【００３２】
ポリゴンモータ３４は、ポリゴンミラー３３を回転駆動するものであり、例えば、ＤＣブラシレスモータ等からなる精密モータから構成されていている。そして、このポリゴンモータ３４は、制御基板３５上に設置されている。
【００３３】
制御基板３５は、金属を含む板材からなり、その平面形状は長方形を呈している。そして、この制御基板３５は、裏面が僅かなクリアランスを介してハウジング３１の内側底面に対向して配置されており、その四隅がビス３５ａによって固定されることにより支持されている。つまり、本実施形態においては、ハウジング３１の内側底面に制御基板３５が設置される設置領域Ｒ１が設けられており、制御基板３５は、当該設置領域Ｒ１に設置されている。
また、制御基板３５の表面側、すなわちハウジング３１の内側に向く面側には、ポリゴンモータ３４が実装されている。なお、図２及び図３では省略されているが、制御基板３５には、ポリゴンモータ３４の駆動用ＩＣ等の電子部品が実装されている。
【００３４】
光学素子３６ａ〜３６ｄのうち、光学素子３６ａは、光ビーム発生器３２から照射された光ビームをポリゴンミラー３３に照射するように作用するコリメートレンズである。
また、光学素子３６ｂは、感光体７１に結像するためのｆθレンズである。また、光学素子３６ｃが長尺レンズであり、光学素子３６ｄが三角レンズであり、これらの光学素子３６ｃ，３６ｄによって、ｆθレンズで結像された光ビームを感光体７１上に導いている。
【００３５】
反射ミラー３７及びセンサ３８は、共にハウジング３１内に配置固定されていて、このうち反射ミラー３７は、光学素子３６ｂを通過した光ビームをセンサ３８に向けて照射できるように構成されている。そして、センサ３８は、反射ミラー３７から光ビームを受けたときに所定の同期検出信号が得られるように構成されている。そして、センサ３８が不図示の制御装置と接続されており、当該制御装置は、センサ３８からの同期検出信号に基づいて感光体７１における書き出し位置を設定する。
【００３６】
ダミー基板３９は、制御基板３５の熱変形に起因するハウジング３１の反りを抑制するためのものであり、制御基板３５と同様の金属を含む板材からなり、その平面形状も制御基板３５と同様の長方形を呈している。
このダミー基板３９は、裏面が僅かなクリアランスを介してハウジング３１の外側底面に対向して配置されており、その四隅がビス３９ａによって固定されることにより支持されている。そして、このダミー基板３９の裏面側は、ハウジング３１の底面を中間にして制御基板３５の裏面に対向して設けられている。
すなわち、本実施形態においては、ハウジング３１の制御基板３５が設置される領域である設置領域Ｒ１の反対側に、ダミー基板３９が脱着可能なダミー基板取付領域Ｒ２が設けられており、ダミー基板３９は、このダミー基板取付領域Ｒ２に設置されている。
【００３７】
なお、図３に示すように、本実施形態においては、制御基板３５を設置する設置領域Ｒ１がハウジング３１の内側に設けられており、ダミー基板３９を設置するダミー基板取付領域Ｒ２がハウジング３１の外側に設けられている。
【００３８】
このように構成されたレーザスキャニングユニット７３においては、光ビーム発生器３２から画像データに基づいて生成された光ビームが射出され、この光ビームは、ポリゴンミラー３３に照射される。ポリゴンミラー３３に照射された光ビームは、ポリゴンミラー３３の回転により走査される。そして、その走査された光ビームは、光学素子３６ａ（ｆθレンズ）、光学素子３６ｂ、光学素子３６ｃ（長尺レンズ）及び光学素子３６ｄ（三角レンズ）を介して感光体７１上に導かれる。感光体７１上には、センサ３８で検出された同期信号、すなわち、感光体７１への画像の書き出し位置を決定するための検知信号に基づいて、照射された光ビームによって静電潜像が形成される。
【００３９】
以下、図４の説明図を用いてダミー基板３９による反りの抑制作用について説明する。なお、図４においてＯ−Ｏ線は、水平線を示している。
ポリゴンモータ３４が駆動されておらず、レーザスキャニングユニット７３が加熱状態にないとは、ハウジング３１、制御基板３５及びダミー基板３９のそれぞれの表裏面は水平に保たれている。
【００４０】
続いて、レーザスキャニングユニット７３が駆動され、ポリゴンモータ３４が駆動されると、ポリゴンモータ３４が発熱し、ハウジング３１及び制御基板３５は、熱変形により伸びることとなる。通常、ハウジング３１の材料の線膨張係数は、制御基板３５の線膨張係数より大きいので、制御基板３５は、ハウジング３１及び制御基板３５の接続部分で引張力を受けることになる。
【００４１】
ダミー基板３９が設けられていない従来のレーザスキャニングユニットでは、この引張力によって、図４に鎖線で示されるように、制御基板３５の中央部分が凹状となる反りの変形を受けることになる。また、ハウジング３１も制御基板３５と同じように反りの変形を受けることになる。この反りにより、制御基板３５上に設置されたポリゴンモータ３４が傾きさらにはポリゴンミラー３３が傾くこととなり、光ビームを良好に導光することができなくなる。
【００４２】
ところで、本発明に係るレーザスキャニングユニット７３においては、ハウジング３１の外側に制御基板３５と同形状で、かつ、同材質からなるダミー基板３９が設けられているので、このダミー基板３９も制御基板３５と同様の熱膨張の変形を受けることになる。この熱膨張の変形により、ダミー基板３９も、ハウジング３１及びダミー基板３９の接続部分で引張力を受け、制御基板３５と反対方向に反りの変形を受け、制御基板３５の反りを打ち消すように作用する。すなわち、ダミー基板３９は、制御基板３５の熱膨張に伴う変形を相殺するように作用する。
【００４３】
なお、ダミー基板３９を設けていない状態における制御基板３５の反りについて解析を行った。解析に用いたハウジング３１は合成樹脂製で、その形状は、縦，横１５０ｍｍ、高さ３０ｍｍである。また、制御基板は鉄製で、その線膨張係数は合成樹脂より小さく、その形状は、縦３０ｍｍ、横４２ｍｍ、厚さ１ｍｍである。制御基板の四隅をハウジングにビス止めした。
そして、解析の結果、ハウジング内が６０℃に加熱されたとき、制御基板の反りの深さは、２．１７μｍであった。
一方、上記解析条件にダミー基板３９を加えて解析を行った結果、制御基板の反りの深さは、０．０６μｍであった。
【００４４】
なお、制御基板３５とダミー基板３９とは、同じ材質である必要はない。ダミー基板３９は、制御基板３５の熱変形に起因するハウジング３１の反りを抑制できるものであれば良い。
具体的には、ハウジング３１の線膨張係数がαｈ、制御基板３５の線膨張係数がαｋで、かつ、αｈ≧αｋのときには、ダミー基板３９の線膨張係数αｂをαｈ≧αｂとすることによって、制御基板３５の熱変形に起因するハウジング３１の反りを抑制できる。また、ハウジング３１の線膨張係数がαｈ、制御基板３５の線膨張係数がαｋで、かつ、αｈ＜αｋのときには、ダミー基板３９の線膨張係数αｂをαｈ＜αｂとすることによって、制御基板３５の熱変形に起因するハウジング３１の反りを抑制できる。
また、ハウジング３１の内側と外側とでは僅かな温度差があるので、その温度差を考慮してダミー基板３９の平面形状、厚さ、材質等を決定することが好ましい。
【００４５】
以上のような本実施形態の複写機Ｐによれば、ハウジング３１における制御基板３５の反対側に、制御基板３５の熱変形に起因するハウジング３１の反りを抑制するダミー基板３９を脱着可能なダミー基板取付領域Ｒ２が設けられている。そして、ダミー基板取付領域Ｒ２にダミー基板３９を取り付けることによって、ダミー基板３９が制御基板３５の変形によるハウジング３１の変形を相殺するように変形する。このため、制御基板３５の変形によるハウジング３１の変形が、ハウジング３１を中間にした反対側に設けられているダミー基板３９の変形により相殺され、ハウジング３１に反りが生じることを抑制することができる。この結果、ハウジング３１内部に収容されたポリゴンモータ３４、ポリゴンミラー３３、光学素子３６ａ〜３６ｄ等が傾くことを抑制し、光ビームを良好に導光することが可能となる。
したがって、本実施形態の複写機Ｐによれば、熱変形に起因するハウジング３１の反りを抑制することによって光ビームを良好に導光することができる。
【００４６】
なお、複写機Ｐの使用環境においては、温度環境が変化し、ハウジング３１と制御基板３５との伸び量が変化する可能性もある。このような場合には、制御基板３５の熱変形に起因してハウジング３１に作用する引張力が変化するため、ハウジング３１の反りをより低減させるためには、ダミー基板３９の材質（線膨張係数）や形状を変化させることが好ましい場合がある。
これに対して、本実施形態の複写機Ｐにおいては、ダミー基板３９がダミー基板取付領域Ｒ２に対して脱着可能とされている。このため、環境の変化に応じて、材質や形状が異なるダミー基板３９を選択して用いることができる。
なお、線膨張係数を変化させることによって、ハウジング３１の反りを抑止する方法については、上述した。ハウジング３１の反りを抑止するその他の方法としては、例えば、ダミー基板３９の平面視上の大きさ、厚み、ダミー基板とハウジング３１とのクリアランス量（すなわちビス３９ａの高さ）を変化させることも考えられる。
【００４７】
また、本実施形態の複写機Ｐにおいては、ダミー基板取付領域Ｒ２がハウジング３１の外側に設けられている。
このため、ハウジング３１を開けることなく、ダミー基板３９を設置することができる。よって、ダミー基板３９の設置により、精密に配置されたポリゴンモータ３４、ポリゴンミラー３３、光学素子３６ａ〜３６ｄ等がずれることを防止することができる。
【００４８】
以上、添付図面を参照しながら本発明の好適な実施形態について説明したが、本発明は、上記実施形態に限定されないことは言うまでもない。上述した実施形態において示した各構成部材の諸形状や組み合わせ等は一例であって、本発明の主旨から逸脱しない範囲において設計要求等に基づき種々変更可能である。
【００４９】
例えば、上記実施形態においては、本発明の光走査装置の一例であるレーザスキャニングユニット７３が画像形成装置の１つのである複写機に搭載された構成について説明した。
しかしながら、本発明の光走査装置は、これに限定されるものではなく、ポリゴンミラーを用いる機器であれば、複写機等の画像形成装置以外に、計測器、検査装置等の機器に搭載しても良い。
【符号の説明】
【００５０】
Ｐ……複写機（画像形成装置）、７３……レーザスキャニングユニット（光走査装置）、３１……ハウジング、３３……ポリゴンミラー、３４……ポリゴンモータ、３５……制御基板、３５ａ……ビス、３９……ダミー基板、３９ａ……ビス、Ｒ１……設置領域、Ｒ２……ダミー基板取付領域
【図１】
2011154208.tif 000003
【図２】
2011154208.tif 000004
【図３】
2011154208.tif 000005
【図４】
2011154208.tif 000006